(57)【要約】【課題】セキュリティが高くかつ解錠操作を容易に行い得る遊技機用施錠装置を提供する。【解決手段】本体枠１１に回動可能に装着される前枠１２を施解錠する遊技機用施錠装置１であって、前枠１２の後面に装着されかつ本体枠１１の枠内に設けられた鉤受部材１５に係止する内側施錠機構部１４と、前枠１２の側面に装着されかつ本体枠１１側に設けられた係止部材１６に係止する外側施錠機構部１７と、内側施錠機構部１４と外側施錠機構部１７を係止解除状態に操作する解除機構部２とを有している。解除機構部２は、挿入された鍵１８によって回動する錠軸を備えるシリンダ錠３と、錠軸の回動によって外側施錠機構部１７を係止部材１６から係止解除させる外側解除機構部４と、同錠軸の回動によって内側施錠機構部１４を鉤受部材１５から係止解除させる内側解除機構部２２とを有している。【選択図】図１
2009119177.tif 000002
【特許請求の範囲】
【請求項１】
遊技島に取付けられる本体枠に対して回動可能に装着される前枠を施解錠するための遊技機用施錠装置であって、
前記前枠の後面に装着されかつ前記本体枠の枠内に設けられた鉤受部材に係止する内側施錠機構部と、前記前枠の前面または側面に装着されかつ前記本体枠の枠外にて前記本体枠側に設けられた係止部材に係止する外側施錠機構部と、これら内側施錠機構部と外側施錠機構部を係止解除状態に操作する解除機構部とを有し、
前記解除機構部は、挿入された鍵によって回動する錠軸を備えるシリンダ錠と、前記錠軸の回動によって前記外側施錠機構部を前記係止部材から係止解除させる外側解除機構部と、同錠軸の回動によって前記内側施錠機構部を前記鉤受部材から係止解除させる内側解除機構部とを有していることを特徴とする遊技機用施錠装置。
【請求項２】
請求項１に記載の遊技機用施錠装置であって、
内側解除機構部は、前枠に形成された貫通孔に挿入される筒体と、その筒体に回動可能に挿通されかつ錠軸に連動して回動する軸体とを有していることを特徴とする遊技機用施錠装置。
【請求項３】
請求項２に記載の遊技機用施錠装置であって、
内側解除機構部は、錠軸と並設される連動軸と、前記錠軸と前記連動軸の後端部とを連結しかつ前記錠軸の回動を前記連動軸の回動に変換する第一リンクと、前記連動軸の前端部と軸体とを連結しかつ前記連動軸の回動を前記軸体の回動に変換する第二リンクとを有していることを特徴とする遊技機用施錠装置。
【発明の詳細な説明】
【技術分野】
【０００１】
本発明は、遊技島に取付けられる本体枠に対して回動可能に装着される前枠を施解錠するための遊技機用施錠装置に関する。
【背景技術】
【０００２】
スロットマシンやパチンコ機などの遊技機は、遊技島に取付けられる本体枠と、本体枠に回動可能に装着される前枠と、前枠を本体枠に対して施錠する施錠機構部と、施錠機構部を解錠する解錠機構部を有している。一般に解錠機構部は、シリンダ錠を有し、シリンダ錠に挿入した鍵を回すことで施錠機構部を解錠させる構成になっている。従来、セキュリティ対策として、後付にて本体枠の枠内に設けられ、施錠機構部をロックするロック装置（特許文献１）が知られている。また従来、本体枠の外側に取付けられて前枠を本体枠の枠外にて施錠する外付け施錠装置（特許文献２）も知られている。
【特許文献１】特開２００６−２３３６５８号公報
【特許文献２】特開２００２−１１３２３８号公報
【発明の開示】
【発明が解決しようとする課題】
【０００３】
しかし従来の後付のロック装置は、電動モータを有する駆動装置によってロック位置とアンロック位置とに移動する構成であるため、駆動装置をリモコン等によって操作する必要があった。また外付け施錠装置は、解錠機構部のシリンダ錠とは別のシリンダ錠によって解除操作する必要があった。したがって前枠を本体枠に対して解錠する場合は、既存の施錠機構部をシリンダ錠によって解錠操作する他に、ロック装置または外付け施錠装置を解錠操作する必要があった。そのため前枠の解錠操作が煩雑になるという問題があった。また規則では、後付けで本体枠の枠内にロック装置等を設けることが制限されている。そこで本発明は、本体枠の枠内のみならず、セキュリティを向上のために本体枠の枠外側においても前枠を施錠し、かつ前枠を本体枠に対して解錠操作を容易に行い得る遊技機用施錠装置を提供することを課題とする。
【課題を解決するための手段】
【０００４】
前記課題を解決するために本発明は、各請求項に記載の通りの構成を備える遊技機用施錠装置であることを特徴とする。すなわち請求項１に記載の発明によると、前枠の後面に装着されかつ本体枠の枠内に設けられた鉤受部材に係止する内側施錠機構部と、前枠の前面または側面に装着されかつ本体枠の枠外にて本体枠側に設けられた係止部材に係止する外側施錠機構部と、これら内側施錠機構部と外側施錠機構部を係止解除状態に操作する解除機構部とを有している。そして解除機構部は、挿入された鍵によって回動する錠軸を備えるシリンダ錠と、錠軸の回動によって外側施錠機構部を係止部材から係止解除させる外側解除機構部と、同錠軸の回動によって内側施錠機構部を鉤受部材から係止解除させる内側解除機構部とを有している。
【０００５】
したがって内側施錠機構部が前枠を本体枠の枠内側で施錠し、外側施錠機構部が前枠を本体枠の枠外側で施錠する。したがって前枠は、本体枠に対して二重に施錠されるため、前枠が不正に解錠され難い構成になっている。一方、正規に解錠する場合には、シリンダ錠に鍵を挿入し、その鍵を回すことで、内側解除機構部が内側施錠機構部を係止解除させ、外側解除機構部が外側施錠機構部を係止解除させる。そのため前枠を本体枠に対して容易に解錠させることができる。かくして施錠装置は、セキュリティ性と操作性が高くなっている。
【０００６】
請求項２に記載の発明によると、内側解除機構部は、前枠に形成された貫通孔に挿入される筒体と、その筒体に回動可能に挿通されかつ錠軸に連動して回動する軸体とを有している。ところで従来の施錠装置は、前枠の後面に内側施錠機構部を有しており、前枠に形成された貫通孔にシリンダ錠が挿通されている。したがって本発明の筒体と軸体は、その貫通孔を利用して前枠に装着され得る。かくして後付容易な構成になっている。
【０００７】
請求項３に記載の発明によると、内側解除機構部は、錠軸と並設される連動軸と、錠軸と連動軸の後端部とを連結しかつ錠軸の回動を連動軸の回動に変換する第一リンクと、連動軸の前端部と軸体とを連結しかつ連動軸の回動を軸体の回動に変換する第二リンクとを有している。したがって錠軸が回転すると、第一リンクと連動軸と第二リンクを介して軸体が回転する。
【発明を実施するための最良の形態】
【０００８】
実施の形態を図１〜８にしたがって説明する。スロットマシンなどの遊技機１０は、図１に示すように遊技島に取付けられる本体枠１１と、本体枠１１に回動可能に装着される前枠１２を有している。本体枠１１には、リールユニットが取付けられ、前枠１２には、リールユニットを操作する操作部が設けられる。本体枠１１と前枠１２の間には、前枠１２を本体枠１１に施解錠する施錠装置１が取付けられている。
【０００９】
施錠装置１は、図１，２に示すように前枠１２側に取付けられる内側施錠機構部１４と外側施錠機構部１７と解除機構部２と、本体枠１１側に取付けられる鉤受部材１５と係止部材１６を有している。内側施錠機構部１４は、本体枠１１の枠内において鉤受部材１５に係止することで、前枠１２を本体枠１１に施錠する。外側施錠機構部１７は、本体枠１１の枠外において係止部材１６に係止することで、前枠１２を本体枠１１に施錠する。解除機構部２は、内側施錠機構部１４と外側施錠機構部１７を同時に係止解除状態に操作する構成になっている。
【００１０】
内側施錠機構部１４は、図２に示すように前枠１２の後面に取付けられるベース１４ａと、ベース１４ａの上下部に傾動可能に取付けられる鉤部材１４ｂと、上下の鉤部材１４ｂを連結する連結杆１４ｃを有している。連結杆１４ｃは、付勢部材によって下方に付勢されている。したがって前枠１２を閉じ方向に移動させると、鉤部材１４ｂが本体枠１１の枠内面に取付けられた鉤受部材１５に当たり、付勢部材に抗して傾動する。そして付勢部材の付勢力を利用して鉤部材１４ｂが元の位置に傾動して鉤受部材１５に係止する。
【００１１】
外側施錠機構部１７は、図７に示すように本体部材１７ａと、ベース部材１７ｂと、これらの間に設けられるスライド体１７ｃを有している。本体部材１７ａは、リベットによってベース部材１７ｂに取付けられる。ベース部材１７ｂは、図１，５に示すように解除機構部２の後カバー２ｂに取付けられ、解除機構部２とともに前枠１２の側面に取付けられる。
【００１２】
スライド体１７ｃは、図７，８に示すように上片１７ｃ２と下片１７ｃ３を有しており、これらの間に雄部材１６ｂが挿入される。上片１７ｃ２と下片１７ｃ３には、円筒体１７ｅが転動可能に設置される開口部１７ｃ１が形成されている。円筒体１７ｅは、本体部材１７ａに内設され、本体部材１７ａに形成された傾斜面１７ａ１に当接される。傾斜面１７ａ１は、本体部材１７ａの入口１７ｇ側から奥側に向けて除々に円筒体１７ｅから離れる方向に傾斜している。
【００１３】
スライド体１７ｃとベース部材１７ｂの間には、図７，８に示すようにスライド体１７ｃを入口１７ｇ側に付勢する付勢部材１７ｆが設けられている。ベース部材１７ｂの後部には、スライド体１７ｃに掛けられ爪１７ｄ１を有する解除レバー１７ｄが傾動可能に取付けられる。解除レバー１７ｄの前端部には、図５，７に示すように外側解除機構部４の張出部４ａによって押され得る力受部１７ｄ２が形成されている。したがって力受部１７ｄ２が張出部４ａによって押されることで、解除レバー１７ｄが傾動し、スライド体１７ｃが解除レバー１７ｄによって手前側（シリンダ錠３側）にスライドされ得る。
【００１４】
係止部材１６は、図３，７に示すようにブラケット１６ａと、ブラケット１６ａにわずかな角度で傾動し得るように取付けられる雄部材１６ｂを有している。ブラケット１６ａは、図１に示すように本体枠１１の枠外側面に取付けられる。雄部材１６ｂは、前枠１２を閉じた場合に、図８に示すように端部１６ｂ１が外側施錠機構部１７に入口１７ｇから挿入し、二対の円筒体１７ｅの間を通過する。この状態で前枠１２を開放しようとすると、雄部材１６ｂに接する円筒体１７ｅが入口１７ｇに向けて雄部材１６ｂとともに移動する。これにより円筒体１７ｅが傾斜面１７ａ１によって雄部材１６ｂを挟み、雄部材１６ｂが外側施錠機構部１７から抜けることを防止する。かくして外側施錠機構部１７と係止部材１６によって前枠１２を本体枠１１に対して施錠する。
【００１５】
解除機構部２は、図４，５に示すようにシリンダ錠３と、外側施錠機構部１７を係止解除するための外側解除機構部（外用カム）４と、内側施錠機構部１４を係止解除するための内側解除機構部２２を有している。シリンダ錠３は、鍵１８が挿入される鍵穴３ａと、鍵１８とともに回動する錠軸３ｂを有している。シリンダ錠３は、解除機構部２のベース部材２ａに取付けられ、錠軸３ｂの先端には、外側解除機構部４が取付けられる。
【００１６】
内側解除機構部２２は、図５に示すようにシリンダ錠３に並設される連動軸５と筒体６を有している。連動軸５は、ベース部材２ａに軸回転可能に取付けられる。連動軸５の後端部には、フランジ５ｂが取付けられ、フランジ５ｂが一対の第一リンク２０によって外側解除機構部４と連結される。連動軸５の前端部５ｃには、円盤部５ｄが取付けられ、円盤部５ｄが一対の第二リンク２１によって筒体６に挿通された軸体７と連結される。ベース部材２ａには、後カバー２ｂが取付けられ、後カバー２ｂには、カバー２ｃが取付けられる。
【００１７】
筒体６は、図５，６に示すように本体筒６ａと、本体筒６ａの後部に取付けられるスペーサ６ｄと基端環部６ｅを有している。本体筒６ａの前端部には、フランジ部６ｂが形成され、フランジ部６ｂに先端カバー６ｃが取付けられる。基端環部６ｅの後面には、ブラケット８が取付けられる。
【００１８】
軸体７は、図５，６に示すように前軸部７ｂと後軸部７ａを有している。前軸部７ｂは、後軸部７ａが後方から入れ子状に組付けられる取付孔７ｂ２を有している。前軸部７ｂの前端部には、円盤部７ｂ１が設けられており、円盤部７ｂ１に第二リンク２１が連結される。後軸部７ａは、取付孔７ｂ２に挿入される多角柱部７ａ１と、円柱部７ａ２を有している。多角柱部７ａ１は、断面多角形状（例えば六角形状）であって、同形状の断面を有する取付孔７ｂ２に軸回転不能にかつ軸方向に位置調整可能に挿入される。
【００１９】
円柱部７ａ２は、図５，６に示すように円柱状であって外周面に突部７ａ３を有している。突部７ａ３は、基端環部６ｅに形成されたキー溝６ｅ１を通過して回転されることで、軸体７の筒体６からの抜けを防止する。軸体７は、筒体６に挿通され、筒体６は、図２に示すように前枠１２に形成された貫通孔１２ａに挿通される。そしてブラケット８が内側施錠機構部１４のベース１４ａに取付けられ、ベース１４ａとともに前枠１２の後面に取付けられる。図２，５に示すように軸体７の後端部には、内用カム９が取付けられ、内用カム９は、内側施錠機構部１４の連結杆１４ｃに係止される。
【００２０】
施錠装置１によって前枠１２を本体枠１１に施錠する場合は、図２に示すように前枠１２を本体枠１１に向けて閉じる。これにより内側施錠機構部１４の鉤部材１４ｂが本体枠１１の枠内にて鉤受部材１５に係止する。そして外側施錠機構部１７が本体枠１１の枠外にて係止部材１６に係止する。かくして前枠１２は、本体枠１１の枠内側と枠外側において本体枠１１に対して施錠され、二重ロックされ得る。
【００２１】
解錠する場合は、図３，５に示すようにシリンダ錠３に鍵１８を挿入し、鍵１８を回す。これにより錠軸３ｂが回転し、外側解除機構部４が回転し、外側解除機構部４が外側施錠機構部１７の解除レバー１７ｄを押す。その結果、図７，８に示すように解除レバー１７ｄがスライド体１７ｃを引っ張り、スライド体１７ｃが付勢部材１７ｆに抗して手前側にスライドする。そして円筒体１７ｅが傾斜面１７ａ１に対して手前側に移動し、円筒体１７ｅが雄部材１６ｂから離間する方向に移動可能になる。かくして雄部材１６ｂが外側施錠機構部１７から抜け得る状態になる。
【００２２】
この時、図５に示すように内側解除機構部２２も錠軸３ｂに連動する。すなわち錠軸３ｂが回動すると、連動軸５と軸体７が連動して回動する。そして軸体７とともに内用カム９が回動し、内用カム９が連結杆１４ｃを付勢部材に抗して押し上げる（図２参照）。これにより鉤部材１４ｂが傾動して、鉤部材１４ｂが鉤受部材１５から係止解除される。かくして前枠１２が本体枠１１に対して解錠される。
【００２３】
以上のように施錠装置１は、図２，４に示すように内側施錠機構部１４と外側施錠機構部１７と解除機構部２を有している。そして解除機構部２は、シリンダ錠３と外側解除機構部４と内側解除機構部２２を有している。したがって内側施錠機構部１４が前枠１２を本体枠１１の枠内側で施錠し、外側施錠機構部１７が前枠１２を本体枠１１の枠外側で施錠する。したがって前枠１２は、本体枠１１に対して二重に施錠されるため、前枠１２が不正に解錠され難い構成になっている。一方、正規に解錠する場合には、シリンダ錠３に鍵１８を挿入し、その鍵１８を回すことで、内側解除機構部２２が内側施錠機構部１４を係止解除させ、外側解除機構部４が外側施錠機構部１７を係止解除させる。そのため前枠１２を本体枠１１に対して容易に解錠させることができる。かくして施錠装置１は、セキュリティ性と操作性が高くなっている。
【００２４】
また内側解除機構部２２は、図２，４に示すように前枠１２に形成された貫通孔１２ａに挿入される筒体６と軸体７を有している。ところで従来の施錠装置は、前枠の後面に内側施錠機構部を有しており、前枠に形成された貫通孔にシリンダ錠が挿通されている。したがって本形態の筒体６と軸体７は、その貫通孔１２ａを利用して前枠１２に装着され得る。かくして後付容易な構成になっている。
【００２５】
また内側解除機構部２２は、図５に示すように錠軸３ｂと並設される連動軸５と、錠軸３ｂと連動軸５の後端部とを連結する第一リンクと、連動軸５の前端部と軸体７とを連結する第二リンク２１とを有している。したがって錠軸３ｂが回転すると、第一リンク２０と連動軸５と第二リンク２１を介して軸体７が回転する。
【００２６】
またシリンダ錠３と連動軸５と軸体７は、図５に示すように並設されている。したがってこれらを連動させる機構は、回動方向の角度を変換させる必要がない。そのためリンク２０，２１という簡易な構成によってこれらを連動して回動させ得る。また図１に示すように外側施錠機構部１７は、本体枠１１の枠外に設けられている。したがって外側施錠機構部１７は、視覚的にも防犯効果を奏し得る構成になっている。
【００２７】
また筒体６は、図６に示すようにスペーサ６ｄの数を増やすことで長くなる。あるいは長いスペーサに交換することで長くなる。軸体７も、入れ子状に組み込まれた前軸部７ｂと後軸部７ａの軸方向の位置を調整することで長さが調整され得る。したがって筒体６と軸体７は、前枠１２の厚み等に応じて長さが調整され、施錠装置１は、汎用性が高い構成になっている。
【００２８】
（他の実施の形態）
本発明は、上記実施の形態に限定されず、以下の形態等であっても良い。
（１）上記実施の形態の外側施錠機構部１７は、前枠１２の側面に装着されていた。しかし前枠１２の前面に装着され、係止部材１６に向けて側方に張り出している形態であっても良い。
（２）上記実施の形態の外側施錠機構部１７は、係止部材１６の雄部材１６ｂが挿入され、雄部材１６ｂに係止する形態であった。しかし外側施錠機構部が傾動可能な鉤部材を有しており、鉤部材が本体枠側に設けられた係止部材に傾動して係止する形態であっても良い。
（３）上記実施の形態の係止部材１６は、本体枠１１の外側面に取付けられていた。しかし係止部材が遊技島に取付けられる形態、例えば本体枠と本体枠の間に設けられコインまたは玉を貸し出す貸出機に取付けられる形態であっても良い。
（４）上記実施の形態のシリンダ錠３と連動軸５と軸体７は、並設されていた。しかし並設される関係ではなく、例えばシリンダ錠３が軸体７に対して略直交の位置関係に配設される形態であっても良い。
（５）上記実施の形態は、スロットマシンであったが、パチンコ機等であっても良い。
【図面の簡単な説明】
【００２９】
【図１】遊技機の斜視図である。
【図２】前枠と本体枠の一部と施錠装置の斜視図である。
【図３】解除機構部と外側施錠機構部と係止部材の斜視図である。
【図４】カバー等を外した状態における解除機構部と外側施錠機構部と係止部材の斜視図である。
【図５】解除機構部の構成部品と外側施錠機構部の斜視図である。
【図６】筒体と軸体の分解斜視図である。
【図７】外側施錠機構部と係止部材の分解斜視図である。
【図８】外側施錠機構部と雄部材の一部断面側面図である。
【符号の説明】
【００３０】
１…施錠装置
２…解除機構部
３…シリンダ錠
３ｂ…錠軸
４…外側解除機構部
５…連動軸
６…筒体
７…軸体
１１…本体枠
１２…前枠
１２ａ…貫通孔
１４…内側施錠機構部
１５…鉤受部材
１６…係止部材
１７…外側施錠機構部
２０…第一リンク
２１…第二リンク
２２…内側解除機構部
【図１】
2009119177.tif 000003
【図２】
2009119177.tif 000004
【図３】
2009119177.tif 000005
【図４】
2009119177.tif 000006
【図５】
2009119177.tif 000007
【図６】
2009119177.tif 000008
【図７】
2009119177.tif 000009
【図８】
2009119177.tif 000010